(57)【要約】  【課題】アレーアンテナ等の付属アンテナをテレビ受像機内や周辺の導電体から離すことができ、またテレビ受像機の移動や設置の際に生じるアンテナの移動や設置の手間を軽減することができるテレビ放送受信システムを提供する。  【解決手段】テレビ放送を受信するテレビ放送受信システムであって、商用電源のコンセントからテレビ受像部１０に至る電源線の途中に、テレビ放送の受信に用いられる付属アンテナ１８が止着されていることを特徴とする。  【選択図】  図１
2005244889.tif 000002
【特許請求の範囲】
【請求項１】
テレビ放送を受信するテレビ放送受信システムであって、
商用電源のコンセントからテレビ受像機に至る電源線の途中に、テレビ放送の受信に用いられる付属アンテナが止着されていること
を特徴とするテレビ放送受信システム。
【請求項２】
テレビ放送を受信するテレビ放送受信システムであって、
テレビ放送の受信の他に、ＬＡＮケーブル又は電話線を用いて他の機器と通信を行う通信処理部を含み、
ＬＡＮケーブル又は電話線の途中に、テレビ放送の受信に用いられる付属アンテナが止着されていること
を特徴とするテレビ放送受信システム。
【請求項３】
前記付属アンテナは、
テレビ放送波を受信して無線信号を出力する１つの給電素子と、
それぞれに供給される設定信号の値に応じてリアクタンス値が可変する１つ以上の可変リアクタンス素子と、
前記可変リアクタンス素子と同数であり、それぞれが、給電素子から所定の間隔だけ離して設けられ、当該可変リアクタンス素子のそれぞれに接続され、接続された可変リアクタンス素子のリアクタンス値が可変することにより、導器又は反射器として動作して、指向特性を変化させる無給電素子とを含み、
テレビ放送受信システムは、さらに、
前記制御信号を出力するアンテナ制御部と、
給電素子とテレビ受像機とを接続する無線信号線と、
可変リアクタンス素子とアンテナ制御部とを接続する制御信号線とを備えること
を特徴とする請求項１及び２のいずれか１項に記載のテレビ放送受信システム。
【請求項４】
テレビ放送を受信するテレビ放送受信システムであって、
ＲＧＢの各映像信号の供給を受けてテレビ番組を表示する表示部と、
テレビ放送を受信して、表示部へ前記各映像信号を供給する受信部と、
表示部と受信部とを接続し、前記各映像信号を伝達する３本の映像ケーブルとを備え、
さらに、
各映像ケーブルのそれぞれの途中に、受信部によるテレビ放送の受信に用いられるアレーアンテナの各素子を備えること
を特徴とするテレビ放送受信システム。
【請求項５】
テレビ放送を受信するテレビ放送受信システムであって、
１つの映像信号及び２つの各音声信号の供給を受けてテレビ番組を再生する再生部と、
テレビ放送を受信して、再生部へ前記映像信号及び前記音声信号を供給する受信部と、
再生部と受信部とを接続し、前記映像信号を伝達する１本の映像ケーブルと、
再生部と受信部とを接続し、前記各音声信号を伝達する２本の音声ケーブルとを備え、
さらに、
映像ケーブル及び各音声ケーブルのそれぞれの途中に、受信部によるテレビ放送の受信に用いられるアレーアンテナの各素子を備えること
を特徴とするテレビ放送受信システム。
【請求項６】
テレビ受像機に接続されて用いられる音声出力システムであって、
スピーカを内蔵し、指向性を変化させることができる平面アレーアンテナを含むボックス部と、
ボックス部を支持して、床面から乖離させる支持部と、
前記テレビ受像機から前記スピーカへ音声信号を伝達する音声信号線と、
前記アレーアンテナより出力される無線信号を伝達する無線信号線と、
前記アレーアンテナの指向性を制御する制御信号を伝達する制御信号線と
を備えることを特徴とする音声出力システム。
【発明の詳細な説明】
【技術分野】
【０００１】
本発明は、付属アンテナを用いてテレビ放送を受信してテレビ番組を表示するテレビ放送受信システムに関し、特に、付属アンテナの配置方法に関する。
【背景技術】
【０００２】
近年、液晶やＰＤＰなどの薄型省スペースのテレビ受像機の普及が進んでいる。
ここで１５型程度以下の液晶テレビは、特に軽量でコンパクトなので、利用者が頻繁に移動して使用する機会が多くなってきている。
例えば、家の中でテレビ受像機を移動して使用する場合、移動先でテレビ受像機本体に電源コンセントとアンテナ端子とを接続しなければならないのであるが、電源コンセントに較べアンテナ端子は設置数が少ないため、移動場所が制限される。
【０００３】
また野外にテレビ受像機を移動して使用する場合には、電源はバッテリ駆動とすることができるが、普通アンテナ端子は野外にはない。
そこで、テレビ受像機を気軽に移動したり野外で使用する場合には、携帯用のアンテナを用いるか、あるいは小型のアンテナを内蔵する方法が有効である（以下、テレビ受像機に付帯する携帯用のアンテナ、及び、テレビ受像機に内蔵されるアンテナを総称して「付属アンテナ」と呼ぶ）。付属アンテナには、小型軽量であり、比較的コストが安く、バッテリ駆動に耐えうる低消費電力動作であることが要求される。
【０００４】
特許文献１、非特許文献１〜３に、上記要求を満たす電子制御導波器アレーアンテナ装置が開示されている。
また、特願２００３−１６６８４８号に、特許文献１、非特許文献１〜３に記載された電子制御導波器アレーアンテナ装置に比較して、ハードウエア構造が簡単であり、簡単な制御で大きなダイバーシティ利得を得ることができるアレーアンテナ装置が記載されている。
【特許文献１】特開２００２−１１８４１４号公報
【非特許文献１】T. Ohira et al., "Electronically steerable passive array radiator antennas for low-cost analog adaptive beamforming,"2000 IEEE InternationalConference on Phased Array System & Technology pp. 101-104,Dana point,California, May 21-25, 2000。
【非特許文献２】大平孝ほか，“エスパアンテナの透過ウエイトベクトルとその勾配に関する基本的定式化”，電子情報通信学会技術研究報告，ＡＰ２００１−１６，ＳＡＴ２００１−３，ｐ．１５−２０，２００２年５月。
【非特許文献３】大平孝ほか，“エスパアンテナの透過ウエイトベクトルとアレーファクタ表現式”，電子情報通信学会技術研究報告，ＡＰ２０００−４４，ｐ．７−１４，２００２年７月。
【非特許文献４】A. J. Rustako et al., "Performance of feedback and switch space diversity 900 MHz FM mobile radio systems with Rayleigh fading", IEEE Transactions on Communication, Vol. COM-21, pp.1257-1268, Nov. 1973。
【非特許文献５】A. Afrashteh et al., "Performance of a novel selection diversity technique in an experimental TDMA system for digital portable radio communications", Conference Record Globecom '88 Hollywood, pp.810-814, Nov. 1988。
【非特許文献６】Y. Akaiwa, "Antenna selection diversity for framed digital signal transmossion in mobile radio channel", Proceeding of 39th IEEE Vehicle Technology Conference, pp.470-473, 1989。
【発明の開示】
【発明が解決しようとする課題】
【０００５】
アレーアンテナをテレビ受像機の上等に置くか、あるいはテレビ受像機本体に内蔵する場合には、アレーアンテナは導電体に近いと受信効率が悪いので、ある程度アレーアンテナをテレビ受像機内や周辺の導電体から離す必要がある。ところが、上記薄型省スペースのテレビ受像機は省スペースであるがゆえに、テレビ受像機内の導電体から離れたスペースをアレーアンテナの為に確保することは難しく、またアレーアンテナをテレビ受像機内の導電体から離す為に、テレビ受像機本体を過度に大きくすることは、携帯性を損ない本末転倒となるのでできるだけ避けたい。
【０００６】
また、テレビ用の電波は水平偏波であるため、アレーアンテナは有る程度水平に設置しなければ有効に機能しないという制約から、アレーアンテナをテレビ受像機本体の表示面、裏面、側面に設置することはできない。そこで必然的に、アレーアンテナをテレビ受像機本体の上面又は下面に添って内蔵するか、あるいはテレビ受像機本体の上に上面に対して平行に設置するしかないのであるが、薄型のテレビ受像機では奥行き寸法が厳しい。
【０００７】
また利便性を考えると、テレビ受像機の移動や設置の際にアンテナの移動や設置の手間が極力かからないようにしたい。
そこで本発明は、アレーアンテナ等の付属アンテナをテレビ受像機内や周辺の導電体から離すことができ、またテレビ受像機の移動や設置の際に生じるアンテナの移動や設置の手間を軽減することができるテレビ放送受信システム、及び周辺機器を提供することを目的とする。
【課題を解決するための手段】
【０００８】
上記目的を達成するために、本発明に係るテレビ放送受信システムは、テレビ放送を受信するテレビ放送受信システムであって、商用電源のコンセントからテレビ受像機に至る電源線の途中に、テレビ放送の受信に用いられる付属アンテナが止着されていることを特徴とする。
【発明の効果】
【０００９】
課題を解決するための手段に記載した構成により、電源ケーブルと付属アンテナとが一体化しているので付属アンテナをテレビ受像機の導電体から離すことができ、また付属アンテナを別途に移動しなくてもよいのでアンテナの移動の手間を軽減することができる。
本発明に係るテレビ放送受信システムは、テレビ放送を受信するテレビ放送受信システムであって、テレビ放送の受信の他に、ＬＡＮケーブル又は電話線を用いて他の機器と通信を行う通信処理部を含み、ＬＡＮケーブル又は電話線の途中に、テレビ放送の受信に用いられる付属アンテナが止着されていることを特徴とする。
【００１０】
これにより、ＬＡＮケーブル又は電話線と付属アンテナとが一体化しているので付属アンテナをテレビ受像機の導電体から離すことができ、また付属アンテナを別途に移動しなくてもよいのでアンテナの移動の手間を軽減することができる。
また、付属アンテナ及びＬＡＮケーブル又は電話線の両方を同時に接続できるので、テレビ受像機を設置する際には商用電源と接続する作業をするだけで、同時に付属アンテナの設置及び接続が行われ、アンテナの設置の手間がかからない。
【００１１】
テレビ放送受信システムにおいて、前記付属アンテナは、テレビ放送波を受信して無線信号を出力する１つの給電素子と、それぞれに供給される設定信号の値に応じてリアクタンス値が可変する１つ以上の可変リアクタンス素子と、前記可変リアクタンス素子と同数でありそれぞれが給電素子から所定の間隔だけ離して設けられ当該可変リアクタンス素子のそれぞれに接続され接続された可変リアクタンス素子のリアクタンス値が可変することにより導器又は反射器として動作して指向特性を変化させる無給電素子とを含み、テレビ放送受信システムは、さらに、前記制御信号を出力するアンテナ制御部と、給電素子とテレビ受像機とを接続する無線信号線と、可変リアクタンス素子とアンテナ制御部とを接続する制御信号線とを備えることを特徴とすることもできる。
【００１２】
これにより、従来よりもハードウエア構造が簡単であり、簡単な制御で大きなダイバーシティ利得を得ることができる。
本発明に係るテレビ放送受信システムは、テレビ放送を受信するテレビ放送受信システムであって、ＲＧＢの各映像信号の供給を受けてテレビ番組を表示する表示部と、テレビ放送を受信して表示部へ前記各映像信号を供給する受信部と、表示部と受信部とを接続し前記各映像信号を伝達する３本の映像ケーブルとを備え、さらに、各映像ケーブルのそれぞれの途中に、受信部によるテレビ放送の受信に用いられるアレーアンテナの各素子を備えることを特徴とする。
【００１３】
これにより、ＲＧＢケーブルとアレーアンテナとが一体化しているのでアレーアンテナをテレビ受像機の導電体から離すことができ、またアレーアンテナを別途に移動しなくてもよいのでアンテナの移動の手間を軽減することができる。
さらに、ＲＧＢケーブルの映像線の３本のケーブルのそれぞれに、３素子からなるアレーアンテナを１素子づつ埋め込むのでアレーアンテナが目立たずかつ携帯性においても優れている。
【００１４】
本発明に係るテレビ放送受信システムは、テレビ放送を受信するテレビ放送受信システムであって、１つの映像信号及び２つの各音声信号の供給を受けてテレビ番組を再生する再生部と、テレビ放送を受信して再生部へ前記映像信号及び前記音声信号を供給する受信部と、再生部と受信部とを接続し前記映像信号を伝達する１本の映像ケーブルと、再生部と受信部とを接続し前記各音声信号を伝達する２本の音声ケーブルとを備え、さらに、映像ケーブル及び各音声ケーブルのそれぞれの途中に、受信部によるテレビ放送の受信に用いられるアレーアンテナの各素子を備えることを特徴とする。
【００１５】
これにより、ＡＶケーブルとアレーアンテナとが一体化しているのでアレーアンテナをテレビ受像機の導電体から離すことができ、またアレーアンテナを別途に移動しなくてもよいのでアンテナの移動の手間を軽減することができる。
さらに、ＡＶケーブルの映像線の１本と音声線の２本のケーブルのそれぞれに、３素子からなるアレーアンテナを１素子づつ埋め込むのでアレーアンテナが目立たずかつ携帯性においても優れている。
【００１６】
本発明に係る音声出力システムは、テレビ受像機に接続されて用いられる音声出力システムであって、スピーカを内蔵し指向性を変化させることができる平面アレーアンテナを含むボックス部と、ボックス部を支持して床面から乖離させる支持部と、前記テレビ受像機から前記スピーカへ音声信号を伝達する音声信号線と、前記アレーアンテナより出力される無線信号を伝達する無線信号線と、前記アレーアンテナの指向性を制御する制御信号を伝達する制御信号線と備えることを特徴とする。
【００１７】
これにより、スピーカボックスと平面アレーアンテナとが一体化しているので平面アレーアンテナをテレビ受像機の導電体から離すことができ、また平面アレーアンテナを別途に移動しなくてもよいのでアンテナの移動の手間を軽減することができる。
さらに、支持部により床面から乖離させたスピーカボックスの下面に平面アレーアンテナを備えるので、床が導電体であっても、スピーカボックスの上に導電体が置かれても、平面アレーアンテナをテレビ受像機内や周辺の導電体から確実に離すことができる。
【発明を実施するための最良の形態】
【００１８】
（実施の形態１）
＜概要＞
本発明の実施の形態１は、液晶やＰＤＰなどの薄型省スペースのテレビ受像機の電源ケーブルと付属アンテナとを一体化し、電源との接続、及び付属アンテナとの接続をワンタッチで行うことができるテレビ放送受信システムである。
【００１９】
＜構成＞
図１は、本発明の実施の形態１におけるテレビ放送受信システムの外観を示す図である。
図１に示すように、本発明の実施の形態１におけるテレビ放送受信システムは、テレビ受像部１０と複合ケーブル１３とからなる。
【００２０】
図２（ａ）、（ｂ）、（ｃ）は、複合ケーブル１３の詳細な構造を示す図である。
ここで、図２（ａ）はテレビ受像部１０と接続する側の詳細、図２（ｂ）は中間の付属アンテナの周辺の詳細、図２（ｃ）は商用電源のコンセントと接続する側の詳細を示す。
図３は、本発明の実施の形態１におけるテレビ放送受信システムの概略構成を示す図である。
【００２１】
以下に図１、２、及び図３を用いて本発明の実施の形態１のテレビ放送受信システムについて説明する。
テレビ受像部１０は、商用電源から電力の供給を受けて動作し、付属アンテナ１８を用いてテレビ放送を受信し、液晶パネルやＰＤＰの表示部等に、主にテレビ番組を表示して音声と共に再生するものであり、アンテナ制御部１１、及び第１複合コネクタ１２を備える。
【００２２】
複合ケーブル１３は、例えば特願２００３−１６６８４８号に記載されたアレーアンテナが電源ケーブルに付いたものであり、電源線１４、アンテナ出力線１５、第１アンテナ制御線１６、第２アンテナ制御線１７、付属アンテナ１８、第２複合コネクタ３７、及び電源コネクタ３８を備える。
アンテナ制御部１１は、例えば、上記特願２００３−１６６８４８号の第１の実施例（図１）に記載されたアレーアンテナの制御装置であって、詳しくは後述するが、付属アンテナ２６の指向性を制御する電圧である２つの制御信号（以下、「第１リアクタンス設定信号、第２リアクタンス設定信号」という）を出力する。
【００２３】
第１複合コネクタ１２と第２複合コネクタ３７とは、互いに接続される接続端子であり、電源線１４、アンテナ出力線１５、第１アンテナ制御線１６、及び第２アンテナ制御線１７を同時に接続可能である。
電源線１４は、商用電源とテレビ受像部１０とを電気的に接続してテレビ受像部１０に電力を供給する。
【００２４】
アンテナ出力線１５は、例えば同軸ケーブルや平行フィーダ線等であり、付属アンテナ１８より出力される無線信号をアンテナ制御部１１へ伝達する。
第１アンテナ制御線１６及び第２アンテナ制御線１７は、例えばペアケーブルであり、アンテナ制御部１１より出力される各リアクタンス設定信号をそれぞれ付属アンテナ１８へ伝達する。
【００２５】
電源コネクタ３８は、商用電源のコンセントに差し込む接続端子である。
図４は、アンテナ制御部１１、及び付属アンテナ１８の詳細な構成を示す図である。
付属アンテナ１８は、例えば、上記特願２００３−１６６８４８号の第３の実施例（図９）に記載されたアレーアンテナであり、図４に示すように、アンテナ基板１９、第１可変リアクタンス素子２０、第２可変リアクタンス素子２１を含む。
【００２６】
図５は、アンテナ基板１９の主要な寸法を示す図である。
アンテナ基板１９は、誘電体基板２２、矩形接地導体２３、マイクロストリップ線路２４〜２６、給電素子２７、無給電素子２８、及び無給電素子２９を含む。
誘電体基板２２の裏面に矩形接地導体２３が形成され、誘電体基板２２の表面に３本のマイクロストリップ線路２４〜２６が形成されている。
【００２７】
ここでλｇを受信すべきターゲットである放送波の管内波長とするとき、矩形接地導体２３の上下方向の長さはλｇ／２である。
またλを当該放送波の自由空間波長とするとき、両端のマイクロストリップ線路２５、２６は真ん中のマイクロストリップ線路２４に対して互いに平行に０．１λ〜０．３５λだけ離間して配置され、各マイクロストリップ線路の先端のλ／４の長さを、裏面に矩形接地導体２３が形成されていない部分まで延在させている。ここで、真ん中のマイクロストリップ線路２４の延在部分が給電素子２７、両端のマイクロストリップ線路２５、２６の延在部分が、それぞれ無給電素子２８、無給電素子２９である。
【００２８】
例えば誘電体基板２２は、ＢＴレジンや熱硬化ＰＰＯ等の高周波用プリント基板であり、比誘電率εｒ＝３．４、誘電体損失ｔａｎδ＝０．００３であり、誘電体基板２２の厚さは０．６ｍｍである。
ここで、矩形接地導体２３、マイクロストリップ線路２４〜２６、給電素子２７、無給電素子２８、及び無給電素子２９の材料はＡｕであり、デジタル地上波をターゲットとするとλは５０ｃｍ程度である。またマイクロストリップ線路２４〜２６、給電素子２７、無給電素子２８、及び無給電素子２９の幅は、マイクロストリップ線路の特性インピーダンスが５０Ωとなる１．４２ｍｍである。
【００２９】
第１可変リアクタンス素子２０、第２可変リアクタンス素子２１は、例えば可変容量ダイオードであり、それぞれの容量が、外部より供給される電圧によって制御される。
アンテナ制御部１１は、例えば、上記特願２００３−１６６８４８号の第１の実施例（図１）に記載されたアレーアンテナの制御装置であり、図３に示すように、低雑音増幅器３０、ダウンコンバータ３１、Ａ／Ｄ変換器３２、及びアンテナコントローラ３３を含む。
【００３０】
ここで給電素子２７はマイクロストリップ線路２４、アンテナ出力線１５、第２複合コネクタ３７、第１複合コネクタ１２、及び同軸ケーブル３４を介して低雑音増幅器３０に接続されかつＧＮＤとは絶縁され、無給電素子２８はマイクロストリップ線路２５及び第１可変リアクタンス素子２０を介してＧＮＤに接続されて高周波接地され、無給電素子２９はマイクロストリップ線路２６及び第２可変リアクタンス素子２１を介してＧＮＤに接続されて高周波接地され、また第１可変リアクタンス素子２０のリアクタンス値はアンテナコントローラ３３から第１ペアケーブル３５、第１複合コネクタ１２、第２複合コネクタ３７、第１アンテナ制御線１６を介して伝送される電圧である第１リアクタンス設定信号により設定され、第２可変リアクタンス素子２１のリアクタンス値はアンテナコントローラ３３から第２ペアケーブル３６、第１複合コネクタ１２、第２複合コネクタ３７、第２アンテナ制御線１７を介して伝送される電圧である第２リアクタンス設定信号により設定される。
【００３１】
低雑音増幅器３０は、付属アンテナ１８により受信された無線信号を増幅する。
ダウンコンバータ３１は、低雑音増幅器３０により増幅された無線信号を低域変換して中間周波数のアナログ信号であるＩＦ信号を生成する。
Ａ／Ｄ変換器３２は、ダウンコンバータ３１により生成されたＩＦ信号をＡＤ変換してディジタル信号である受信信号ｙを生成する。
【００３２】
Ａ／Ｄ変換器３２により生成された受信信号ｙは、アンテナコントローラ３３に入力されるとともに、下段の復調器に入力されて復調される。
アンテナコントローラ３３は、Ａ／Ｄ変換器３２により生成された受信信号ｙに基づいて、上記各リアクタンス設定信号を調整して第１可変リアクタンス素子２０及び第２可変リアクタンス素子２１の各リアクタンス値を設定するものであり、予め測定して設定した所定値以上のダイバーシティ利得が得られかつ付属アンテナ１８の入力インピーダンスが実質的に変化しない複数の状態のそれぞれに対応するリアクタンス設定信号のセットの中から、受信信号ｙが一番大きくなるセットを選択する。
【００３３】
図６は、実施の形態１における第１可変リアクタンス素子２０、及び第２可変リアクタンス素子２１へ供給する制御電圧に対するリアクタンス値、及び入力インピーダンス値を示す図である。
ここで、上記リアクタンス設定信号のセットは、例えば以下のように設定される。
図６に示すように、入力インピーダンスＺｉｎが実質的に変化しない２つの状態Ｐ１、Ｐ２を予め測定して求め、この２つの状態Ｐ１、Ｐ２のそれぞれに対応するリアクタンス設定信号のセットを、アンテナコントローラ３３内のメモリに格納しておき、受信信号ｙが大きい方のセットを選択する。
【００３４】
ここで第１可変リアクタンス素子２０は、インダクタンス性を有するときには延長コイルとなり、無給電素子２８の電気長が給電素子２７よりも長くなり、無給電素子２８は反射器として働く。
一方、第１可変リアクタンス素子２０は、キャパシタンス性を有するときには短縮コンデンサとなり、無給電素子２８の電気長が給電素子２７よりも短くなり、無給電素子２８は導波器として働く。
【００３５】
また、このような特性は給電素子２７と無給電素子２９との間にも同様に成り立つ。
従って、アンテナコントローラ３３が上記各リアクタンス設定信号を変化させて第１可変リアクタンス素子２０及び第２可変リアクタンス素子２１の各リアクタンス値を変化させることにより、付属アンテナ１８の平面指向特性を変化させることができる。
なお、ここでリアクタンス値の切り換え方のアルゴリズムとしては、非特許文献４に記載されているような、単一の受信回路でアンテナを切り換えるアンテナ切り換えダイバーシティ方式や、非特許文献５及び６に記載されているような、アンテナ選択ダイバーシティ方式を用いることができる。
【００３６】
なお、付属アンテナ１８は、携帯性だけを考慮すると、図１に示すように、複合ケーブルの長手方向とアンテナ基板１９の長手方向とを一致させ、かつアンテナ基板１９を水平に設置するとよいと考えられるが、電源線による悪影響を極力避ける為には、携帯性を多少犠牲にしても複合ケーブルの長手方向とアンテナ基板１９の長手方向とを一致させないで、かつアンテナ基板１９を水平に設置するとよいと考えられる。
【００３７】
また、本実施の形態１及び以下の各実施の形態では、第１可変リアクタンス素子２０及び第２可変リアクタンス素子２１をアンテナ基板１９上に搭載せずに外付けにしたが、アンテナ基板１９上に搭載してもよい。
＜まとめ＞
以上のように、本実施の形態１によれば、電源ケーブルと付属アンテナとが一体化しているので付属アンテナをテレビ受像機の導電体から離すことができ、また付属アンテナを別途に移動しなくてもよいのでアンテナの移動の手間を軽減することができる。
【００３８】
さらに、複合コネクタによって、電源との接続、及び付属アンテナとの接続をワンタッチで行うことができるので、テレビ受像機を設置する際には商用電源と接続する作業をするだけで、同時に付属アンテナの設置及び接続が行われ、アンテナの設置の手間がかからない。
なお、従来より電源線が切り離し不能に直接接続されているテレビ受像機も多く存在するので、これに準じ、本実施の形態１において複合コネクタを用いずに、複合ケーブルをテレビ受像機本体に切り離し不能に直接接続しておいてもよい。  このような場合には、テレビ受像機を設置する際には商用電源と接続する作業をすることにより、同時に付属アンテナをテレビ受像機の導電体から離すことができる。
（実施の形態２）
＜概要＞
本発明の実施の形態２は、液晶やＰＤＰなどの薄型省スペースのテレビ受像機のＬＡＮケーブル又は電話線等の通信線と付属アンテナとを一体化し、通信線との接続、及び付属アンテナとの接続をワンタッチで行うことができるテレビ放送受信システムである。
【００３９】
＜構成＞
図７は、本発明の実施の形態２におけるテレビ放送受信システムの外観を示す図である。
図７に示すように、本発明の実施の形態２におけるテレビ放送受信システムは、テレビ受像部４０と複合ケーブル４２とからなる。
【００４０】
図８（ａ）、（ｂ）、（ｃ）は、複合ケーブル４２の詳細な構造を示す図である。
ここで、図８（ａ）はテレビ受像部４０と接続する側の詳細、図８（ｂ）は中間の付属アンテナの周辺の詳細、図８（ｃ）は通信用のコンセントと接続する側の詳細を示す。
なお、実施の形態１のテレビ放送受信システムと同様の構成要素には同一番号を付し、その説明を省略する。
【００４１】
実施の形態２のテレビ受像部４０は、実施の形態１のテレビ受像部１０の第１複合コネクタ１２を、第１複合コネクタ４１及び従来の電源ケーブルに置き換えた構成であり、ＬＡＮケーブル又は電話線等の通信線を用いて他の機器と通信を行う機能を有する。
実施の形態２の複合ケーブル４２は、実施の形態１の複合ケーブル１３の電源線１４、第２複合コネクタ３７、及び電源コネクタ３８をそれぞれ、ＬＡＮケーブル又は電話線等の通信線４３、第２複合コネクタ４４、及び通信コネクタ４５に置き換えた構成であり、例えば特願２００３−１６６８４８号に記載されたアレーアンテナが通信ケーブルに付いたものである。
【００４２】
第１複合コネクタ４１と第２複合コネクタ４４とは、互いに接続される接続端子であり、通信線４３、アンテナ出力線１５、第１アンテナ制御線１６、及び第２アンテナ制御線１７を同時に接続可能である。
通信線４３は、通信網とテレビ受像部４０とを電気的に接続してテレビ受像部４０を他の機器と通信可能に接続する。
【００４３】
通信コネクタ４５は、通信用のコンセントに差し込む接続端子である。
＜まとめ＞
以上のように、本実施の形態２によれば、ＬＡＮケーブル又は電話線等の通信線と付属アンテナとが一体化しているので付属アンテナをテレビ受像機の導電体から離すことができ、また付属アンテナを別途に移動しなくてもよいのでアンテナの移動の手間を軽減することができる。
【００４４】
さらに、複合コネクタによって、ＬＡＮケーブル又は電話線等の通信線との接続、及び付属アンテナとの接続をワンタッチで行うことができるので、テレビ受像機を設置する際にはＬＡＮケーブル又は電話線等の通信線と接続する作業をするだけで、同時に付属アンテナの設置及び接続が行われ、アンテナの設置の手間がかからない。
（実施の形態３）
＜概要＞
本発明の実施の形態３は、液晶やＰＤＰなどの薄型省スペースのテレビ受像システムのチューナ部とディスプレイ部とを接続するＲＧＢケー又はＡＶケーブル等の映像音声線と付属アンテナとを一体化し、チューナ部とディスプレイ部との接続、及びチューナ部と付属アンテナとの接続をワンタッチで行うことができるテレビ放送受信システムである。
【００４５】
また、ＲＧＢケーブル又はＡＶケーブル等の映像音声線の３本のケーブルのそれぞれに、３素子からなるアレーアンテナを１素子づつ埋め込む。
＜構成＞
図９は、本発明の実施の形態３におけるテレビ放送受信システムの外観を示す図である。
【００４６】
図９に示すように、本発明の実施の形態３におけるテレビ放送受信システムは、チューナ部５０、ディスプレイ部５１、第１複合ケーブル５２、第２複合ケーブル５３、及び第３複合ケーブル５４とからなる。
図１０（ａ）は、第１複合ケーブル５２の詳細な構造を示す図である。
図１０（ｂ）は、第２複合ケーブル５３の詳細な構造を示す図である。
【００４７】
図１０（ｃ）は、第３複合ケーブル５４の詳細な構造を示す図である。
ここで、図１０（ａ）、（ｂ）、（ｃ）は、チューナ部５０と接続する側と、ディスプレイ部５１と接続する側とを示す。
図１１は、本発明の実施の形態３におけるテレビ放送受信システムの概略構成を示す図である。
【００４８】
なお、実施の形態１のテレビ放送受信システムと同様の構成要素には同一番号を付し、その説明を省略する。
チューナ部５０は、商用電源から電力の供給を受けて動作し、付属アンテナを用いてテレビ放送を受信し、ディスプレイ部５１に映像信号及び音声信号を出力してにテレビ番組を表示させるものであり、アンテナ制御部１１、第１複合コネクタ５５、第２複合コネクタ５６、及び第３複合コネクタ５７を備える。
【００４９】
ディスプレイ部５１は、例えば液晶パネルやＰＤＰ等の表示部とスピーカであり、チューナ部５０から出力された映像信号及び音声信号を受け取り、主にテレビ番組の映像と音声とを再生するものであって、ディスプレイ部５１の背面に設けた接地導体５８、第１映像音声コネクタ５９、第２映像音声コネクタ６０、第３映像音声コネクタ６１を備える。
第１複合ケーブル５２、第２複合ケーブル５３、及び第３複合ケーブル５４は、例えば特願２００３−１６６８４８号に記載されたアレーアンテナの各素子がＲＧＢケーブル又はＡＶケーブルのそれぞれに付いたものであり、第１複合ケーブル５２は、第１映像音声線６２、第１アンテナ制御線１６、無給電素子６６、第１可変リアクタンス素子２０、第４複合コネクタ６８、及び第４映像音声コネクタ７１を備え、第２複合ケーブル５３は、第２映像音声線６３、アンテナ出力線１５、給電素子６５、第５複合コネクタ６９、第５映像音声コネクタ７２を備え、第３複合ケーブル５４は、第３映像音声線６４、第２アンテナ制御線１７、無給電素子６７、第２可変リアクタンス素子２１、第６複合コネクタ７０、第６映像音声コネクタ７３を備える。
【００５０】
第１複合コネクタ５５と第４複合コネクタ６８とは、互いに接続される接続端子であり、第１映像音声線６２、及び第１アンテナ制御線１６を同時に接続可能である。
第２複合コネクタ５６と第５複合コネクタ６９とは、互いに接続される接続端子であり、第２映像音声線６３、及びアンテナ出力線１５を同時に接続可能である。
第３複合コネクタ５７と第６複合コネクタ７０とは、互いに接続される接続端子であり、第３映像音声線６４、及び第２アンテナ制御線１７を同時に接続可能である。
【００５１】
第１映像音声線６２、第２映像音声線６３、第３映像音声線６４はそれぞれ、ＲＧＢケーブルの場合には、Ｒ（赤）映像ケーブル、Ｇ（緑＋同期）映像ケーブル、Ｂ（青）映像ケーブルであり、ＡＶケーブルの場合は映像ケーブル、右音声ケーブル、左音声ケーブルであり、チューナ部５０から出力された映像信号及び音声信号をディスプレイ部５１に伝達するものである。
【００５２】
第１映像音声コネクタ５９と第４映像音声コネクタ７１とは、互いに接続される接続端子であり、第１映像音声線６２を接続可能である。
第２映像音声コネクタ６０と第５映像音声コネクタ７２とは、互いに接続される接続端子であり、第２映像音声線６３を接続可能である。
第３映像音声コネクタ６１と第６映像音声コネクタ７３とは、互いに接続される接続端子であり、第３映像音声線６４を接続可能である。
【００５３】
なお、第１映像音声線６２、第２映像音声線６３、第３映像音声線６４がＲＧＢケーブルの場合には、別途音声ケーブルが必要であるが、その記載は省略している。
図１２は、アンテナ制御部１１、及び付属アンテナの詳細な構成を示す図である。
付属アンテナは、例えば、上記特願２００３−１６６８４８号の第１の実施例（図２、図３）に記載されたアレーアンテナであり、図１２に示すように、ディスプレイ部５１、第１複合ケーブル５２、第２複合ケーブル５３、及び第３複合ケーブル５４内の給電素子６５、無給電素子６６、無給電素子６７、接地導体５８、第１可変リアクタンス素子２０、及び第２可変リアクタンス素子２１から構成され、実施の形態１の付属アンテナ１８に相当し、給電素子６５は給電素子２７に、無給電素子６６は無給電素子２８に、無給電素子６７は無給電素子２９に相当する。
【００５４】
ここでλを受信すべきターゲットである放送波の自由空間波長とするとき、第１映像音声コネクタ５９と第２映像音声コネクタ６０との間隔、及び第２映像音声コネクタ６０と第３映像音声コネクタ６１との間隔は、０．１λ〜０．３５λであり、給電素子６５、無給電素子６６、無給電素子６７の長さはλ／４である。
ここで、接地導体５８、給電素子６５、無給電素子６６、及び無給電素子６７の材料はＡｕであり、デジタル地上波をターゲットとするとλは５０ｃｍ程度である。
【００５５】
＜まとめ＞
以上のように、本実施の形態３によれば、少なくとも３本必要なＲＧＢケーブル又はＡＶケーブル等の映像音声線にアンテナとしての機能を持たせているので、チューナとディスプレイとの間をこれらの映像音声線で連結するだけでアンテナとしての機能を果たさせることができる。
【００５６】
さらに、複合コネクタによって、ＲＧＢケーブル又はＡＶケーブル等の映像音声線との接続、及び付属アンテナとの接続をワンタッチで行うことができるので、テレビ受像機を設置する際にはＲＧＢケーブル又はＡＶケーブル等の映像音声線と接続する作業をするだけで、同時に付属アンテナの設置及び接続が行われ、アンテナの設置の手間がかからない。
【００５７】
また、ＲＧＢケーブル又はＡＶケーブル等の映像音声線の３本のケーブルのそれぞれに、３素子からなるアレーアンテナの１素子づつを埋め込むので、実施の形態１、２よりも付属アンテナが目立たずかつ携帯性においても優れている。
（実施の形態４）
＜概要＞
本発明の実施の形態４は、液晶やＰＤＰなどの薄型省スペースのテレビ受像機に接続するＡＶシアター等のスピーカボックスと付属アンテナとを一体化し、スピーカボックスとの接続、及び付属アンテナとの接続をワンタッチで行うことができるテレビ放送受信システムである。
【００５８】
特に、実施の形態４は、スピーカスタンドにより床面から乖離させたスピーカボックスの下面に平面アレーアンテナを備える。
＜構成＞
図１３は、本発明の実施の形態４におけるテレビ放送受信システムの外観を示す図である。
【００５９】
図１３に示すように、本発明の実施の形態４におけるテレビ放送受信システムは、テレビ受像部８０、複合ケーブル８２、複合スピーカボックス８３からなる。
なお、実施の形態１のテレビ放送受信システムと同様の構成要素には同一番号を付し、その説明を省略する。
実施の形態４のテレビ受像部８０は、実施の形態１のテレビ受像部１０の第１複合コネクタ１２を、第１複合コネクタ８１及び従来の電源ケーブルに置き換えた構成であり、外部へ音声信号を出力する機能を有する。
【００６０】
図１４（ａ）、（ｂ）は、複合ケーブル８２、及び複合スピーカボックス８３の内部の詳細な構造を示す図である。
ここで、図１４（ａ）はテレビ受像部８０と接続する側の詳細、図１４（ｂ）は複合スピーカボックス８３の内部の詳細を示す。
複合ケーブル８２は、テレビ受像部８０と複合スピーカボックス８３とを接続するものであり、音声信号線８４、アンテナ出力線１５、第１アンテナ制御線１６、第２アンテナ制御線１７、第２複合コネクタ８５を備える。
【００６１】
複合スピーカボックス８３は、例えば特願２００３−１６６８４８号に記載されたアレーアンテナがスピーカボックスに付いたものであり、スピーカ８６、外箱８７、スタンド８８、及び付属アンテナ１８を備える。
第１複合コネクタ８１と第２複合コネクタ８５とは、互いに接続される接続端子であり、音声信号線８４、アンテナ出力線１５、第１アンテナ制御線１６、及び第２アンテナ制御線１７を同時に接続可能である。
【００６２】
音声信号線８４は、スピーカ８６とテレビ受像部８０とを電気的に接続して、テレビ受像部８０からスピーカ８６へ音声信号を伝達する。
外箱８７は、木や樹脂等の非導電体により生成された箱であり、前面にスピーカ８６が取り付けられ、スタンド８８が取り付けられ、下面に付属アンテナ１８を含む。
スタンド８８は、木、樹脂、スチール、又はアルミ等の構造物により生成された支持体であり、外箱８７を支持して、天井から吊り下げたり、壁に付けたり、床に置いたりして、外箱８７を床面から乖離させる。ここでスタンド８８の材質は、付属アンテナ１８と近接する場合には、少なくとも近接する部分だけは非導電体であることが望ましい。
【００６３】
＜まとめ＞
以上のように、本実施の形態４によれば、スピーカボックスと付属アンテナとが一体化しているので付属アンテナをテレビ受像機の導電体から離すことができ、また付属アンテナを別途に移動しなくてもよいのでアンテナの移動の手間を軽減することができる。
さらに、複合コネクタによって、スピーカボックスとの接続、及び付属アンテナとの接続をワンタッチで行うことができるので、テレビ受像機を設置する際にはスピーカボックスと接続する作業をするだけで、同時に付属アンテナの設置及び接続が行われ、アンテナの設置の手間がかからない。
【００６４】
また、スピーカスタンドにより床面から乖離させたスピーカボックスの下面に平面アレーアンテナを備えるので、床が導電体であっても、スピーカボックスの上に導電体が置かれても、付属アンテナをテレビ受像機内や周辺の導電体から確実に離すことができる。
なお、スピーカボックスが上に物を置けない形状であるなど、スピーカボックスの上に導電体が置かれることがない場合には、付属アンテナをスピーカボックスの上、あるいは上板の下面に貼設してもよい。
【００６５】
また、付属アンテナをスピーカボックスの内部に設置してもよい。
【産業上の利用可能性】
【００６６】
本発明は、液晶やＰＤＰなどの薄型省スペースのテレビ受像機に利用することができる。
特に、利用者がテレビ受像機を頻繁に移動して使用する場合に有効であり、その利用価値は高い。
また、薄型省スペースのテレビ受像機だけでなく、あらゆるテレビ受像機に利用することができる。
【００６７】
また、無線ＲＡＮ等の無線通信を行うパソコンに利用することもできる。
【図面の簡単な説明】
【００６８】
【図１】本発明の実施の形態１におけるテレビ放送受信システムの外観を示す図である。
【図２】図２（ａ）、（ｂ）、（ｃ）は、複合ケーブル１３の詳細な構造を示す図である。
【図３】本発明の実施の形態１におけるテレビ放送受信システムの概略構成を示す図である。
【図４】アンテナ制御部１１、及び付属アンテナ１８の詳細な構成を示す図である。
【図５】アンテナ基板１９の主要な寸法を示す図である。
【図６】図６は、実施の形態１における第１可変リアクタンス素子２０、及び第２可変リアクタンス素子２１へ供給する制御電圧に対するリアクタンス値、及び入力インピーダンス値を示す図である。
【図７】本発明の実施の形態２におけるテレビ放送受信システムの外観を示す図である。
【図８】図８（ａ）、（ｂ）、（ｃ）は、複合ケーブル４２の詳細な構造を示す図である。
【図９】本発明の実施の形態３におけるテレビ放送受信システムの外観を示す図である。
【図１０】図１０（ａ）は、第１複合ケーブル５２の詳細な構造を示す図である。
【００６９】
図１０（ｂ）は、第２複合ケーブル５３の詳細な構造を示す図である。
図１０（ｃ）は、第３複合ケーブル５４の詳細な構造を示す図である。
【図１１】本発明の実施の形態３におけるテレビ放送受信システムの概略構成を示す図である。
【図１２】アンテナ制御部１１、及び付属アンテナの詳細な構成を示す図である。
【図１３】本発明の実施の形態４におけるテレビ放送受信システムの外観を示す図である。
【図１４】図１４（ａ）、（ｂ）は、複合ケーブル８２、及び複合スピーカボックス８３の内部の詳細な構造を示す図である。
【符号の説明】
【００７０】
１０    テレビ受像部
１１    アンテナ制御部
１２    第１複合コネクタ
１３    複合ケーブル
１４    電源線
１５    アンテナ出力線
１６    第１アンテナ制御線
１７    第２アンテナ制御線
１８    付属アンテナ
１９    アンテナ基板
２０    可変リアクタンス素子
２１    可変リアクタンス素子
２２    誘電体基板
２３    矩形接地導体
２４    マイクロストリップ線路
２５    マイクロストリップ線路
２６    マイクロストリップ線路
２６    付属アンテナ
２７    給電素子
２８    無給電素子
２９    無給電素子
３０    低雑音増幅器
３１    ダウンコンバータ
３２    Ａ／Ｄ変換器
３３    アンテナコントローラ
３４    同軸ケーブル
３５    第１ペアケーブル
３６    第２ペアケーブル
３７    第２複合コネクタ
３８    電源コネクタ
４０    テレビ受像部
４１    第１複合コネクタ
４２    複合ケーブル
４３    通信線
４４    第２複合コネクタ
４５    通信コネクタ
５０    チューナ部
５１    ディスプレイ部
５２    第１複合ケーブル
５３    第２複合ケーブル
５４    第３複合ケーブル
５５    第１複合コネクタ
５６    第２複合コネクタ
５７    第３複合コネクタ
５８    接地導体
５９    第１映像音声コネクタ
６０    第２映像音声コネクタ
６１    第３映像音声コネクタ
６２    第１映像音声線
６３    第２映像音声線
６４    第３映像音声線
６５    給電素子
６６    無給電素子
６７    無給電素子
６８    第４複合コネクタ
６９    第５複合コネクタ
７０    第６複合コネクタ
７１    第４映像音声コネクタ
７２    第５映像音声コネクタ
７３    第６映像音声コネクタ
８０    テレビ受像部
８１    第１複合コネクタ
８２    複合ケーブル
８３    複合スピーカボックス
８４    音声信号線
８５    第２複合コネクタ
８６    スピーカ
８７    外箱
８８    スタンド
【図１】
2005244889.tif 000003
【図２】
2005244889.tif 000004
【図３】
2005244889.tif 000005
【図４】
2005244889.tif 000006
【図５】
2005244889.tif 000007
【図６】
2005244889.tif 000008
【図７】
2005244889.tif 000009
【図８】
2005244889.tif 000010
【図９】
2005244889.tif 000011
【図１０】
2005244889.tif 000012
【図１１】
2005244889.tif 000013
【図１２】
2005244889.tif 000014
【図１３】
2005244889.tif 000015
【図１４】
2005244889.tif 000016